(57)【要約】      （修正有）【課題】ポインティングデバイスによる表示要素の選択を可能としたデータ放送受信装置及びデータ放送受信装置における操作入力方法を提供する。【解決手段】複数の要素を含む画像を表示するための表示部６０と、複数の要素の内の１つの要素を選択するためのポインティング部６２と、データ放送に含まれるデータからコンテンツ記述文書を分離するための分離手段２２と、コンテンツ記述文書から要素のフォーカス移動経路情報を解析し、画像においてフォーカスされている第１の要素を特定し、ポインティング部によって選択された第２の要素を特定し、フォーカス移動経路情報に基づいて第１の要素から第２の要素までフォーカスを移動させる制御部２９を有するデータ放送受信機１０、及びそのような装置における操作表示方法。【選択図】図１
2006345392.tif 000002
【特許請求の範囲】
【請求項１】
データ放送受信装置であって、
複数の要素を含む画像を表示するための表示部と、
前記複数の要素の内の１つの要素を選択するためのポインティング部と、
データ放送に含まれるデータからコンテンツ記述文書を分離するための分離手段と、
前記コンテンツ記述文書から要素のフォーカス移動経路情報を解析し、前記画像においてフォーカスされている第１の要素を特定し、前記ポインティング部によって選択された第２の要素を特定し、前記フォーカス移動経路情報に基づいて前記第１の要素から前記第２の要素までフォーカスを移動させる制御部と、
を有することを特徴とするデータ放送受信装置。
【請求項２】
前記制御部は、フォーカスを移動させた後に、前記第２の要素に対応するアクションを実行する、請求項１に記載のデータ放送受信装置。
【請求項３】
前記制御部は、フォーカスを移動させた後に、再度第２の要素が選択された場合に、前記第２の要素に対応するアクションを実行する、請求項１に記載のデータ放送受信装置。
【請求項４】
前記制御部は、フォーカスを移動させる場合、前記第１及び第２以外の前記移動経路上に存在する要素毎に、各要素に対応したアクションを実行する、請求項１〜３の何れか一項に記載のデータ放送受信装置。
【請求項５】
前記制御部は、フォーカスを移動させる場合、前記第１及び第２以外の前記移動経路上に存在する要素については、各要素に対応したアクションを実行しない、請求項１〜３の何れか一項に記載のデータ放送受信装置。
【請求項６】
前記制御部は、前記画面において利用可能であるが、表示されていない非表示要素を前記コンテンツ記述文書から解析し、前記画像中に前記非表示要素を描画するように制御する、請求項１〜５の何れか一項に記載のデータ放送受信装置。
【請求項７】
前記制御部は、前記コンテンツ記述文書から要素配列情報を解析し、前記第２の要素を前記ポインティング部からのデータと前記要素配列情報から決定する、請求項１〜６の何れか一項に記載のデータ放送受信装置。
【請求項８】
前記ポインティング部は、前記表示部の表面に設けられたタッチパネルである、請求項１〜７の何れか一項に記載のデータ放送受信装置。
【請求項９】
画像を表示するための表示部及び前記画像に含まれる要素を特定するためのポインティング部を有するデータ放送受信装置における操作表示方法であって、
データ放送に含まれるデータからコンテンツ記述文書を分離し、
前記コンテンツ記述文書から要素のフォーカス移動経路情報を解析し、
前記画像においてフォーカスされている第１の要素を特定し、
前記ポインティング部によって選択された第２の要素を特定し、
前記第１の要素から前記第２の要素まで、前記フォーカス移動経路情報に基づいて、フォーカスを移動させる、
ステップを有することを特徴とする操作表示方法。
【請求項１０】
フォーカスを移動させた後に、前記第２の要素に対応するアクションを実行するステップをさらに有する、請求項９に記載の操作表示方法。
【請求項１１】
フォーカスを移動させた後に、再度第２の要素が選択された場合に、前記第２の要素に対応するアクションを実行するステップをさらに有する、請求項９に記載の操作表示方法。
【請求項１２】
フォーカスを移動させる場合、前記第１及び第２以外の前記移動経路上に存在する要素毎に、各要素に対応したアクションを実行するステップをさらに有する、請求項９〜１１の何れか一項に記載の操作表示方法。
【請求項１３】
フォーカスを移動させる場合、前記第１及び第２以外の前記移動経路上に存在する要素については、各要素に対応したアクションを実行しない、請求項９〜１１の何れか一項に記載の操作表示方法。
【請求項１４】
前記画面において利用可能であるが、表示されていない非表示要素を前記コンテンツ記述文書から解析し、
前記画像中に前記非表示要素を描画するように制御する、
ステップをさらに有する、請求項９〜１３の何れか一項に記載の操作表示方法。
【請求項１５】
前記コンテンツ記述文書から要素配列情報を解析し、
前記第２の要素を前記ポインティング部からのデータと前記要素配列情報から決定する、
ステップをさらに有する、請求項９〜１４の何れか一項に記載の操作表示方法。
【発明の詳細な説明】
【技術分野】
【０００１】
本発明は、データ放送受信機及びデータ放送受信機における操作表示方法に関するものである。
【背景技術】
【０００２】
デジタルデータを受信することができるデータ放送受信機では、様々なデータ放送を視聴することが可能である。さらに、データ放送におけるコンテンツ画面にも、ユーザが選択可能な各種ボタンが表示され、リモコンによって選択することによって、双方向的な画像表示を行うことが可能である。
【０００３】
また、データ放送受信機の表示画面上にタッチパネル等の入力手段を設け、ユーザがタッチパネルを押圧することによって各種入力を行うことが知られている。
【０００４】
しかしながら、データ放送におけるコンテンツ画面に表示される選択可能な各種ボタンは、リモコン操作による入力を前提に構築されていることから、必ずリモコンの上下・左右キーを利用して所望のボタンにフォーカスを移動し、決定キーを押すことによってボタンに対応したアクションを実行させていた。即ち、データ放送における各コンテンツ画面では、タッチパネルやパソコンのマウス等のポインティングデバイスによる操作は想定されておらず、ユーザは、タッチパネル等での操作を行うことができなかった。これは、各コンテンツ画面に表示される選択可能な各種ボタン間のフォーカスの移動経路が、ＢＭＬ文書等によって定義されていることに起因する。
【発明の開示】
【発明が解決しようとする課題】
【０００５】
そこで、本発明は、データ放送において、ポインティングデバイスによるボタンの選択を可能としたデータ放送受信装置及びデータ放送受信装置における操作入力方法を提供することを目的とする。
【０００６】
また、本発明は、データ放送の画面において使用することがきるが表示されていない操作キーを表示した上で、ポインティングデバイスによるボタン及び操作キーの選択を可能としたデータ放送受信装置及びデータ放送受信装置における操作入力方法を提供することを目的とする。
【課題を解決するための手段】
【０００７】
上記課題を解決するために、本発明に係るデータ放送受信装置では、複数の要素を含む画像を表示するための表示部と、複数の要素の内の１つの要素を選択するためのポインティング部と、データ放送に含まれるデータからコンテンツ記述文書を分離するための分離手段と、コンテンツ記述文書から要素のフォーカス移動経路情報を解析し、画像においてフォーカスされている第１の要素を特定し、ポインティング部によって選択された第２の要素を特定し、フォーカス移動経路情報に基づいて第１の要素から第２の要素までフォーカスを移動させる制御部とを有することを特徴とする。
【０００８】
また、上記課題を解決するために、本発明に係るデータ放送受信装置における操作表示方法では、データ放送に含まれるデータからコンテンツ記述文書を分離し、コンテンツ記述文書から要素のフォーカス移動経路情報を解析し、画像においてフォーカスされている第１の要素を特定し、ポインティング部によって選択された第２の要素を特定し、第１の要素から第２の要素まで、フォーカス移動経路情報に基づいてフォーカスを移動させる、ステップを有することを特徴とする。
【０００９】
また、本発明に係る操作表示方法では、フォーカスを移動させた後に、第２の要素に対応するアクションを実行するステップをさらに有することが好ましい。フォーカスの移動後にそのまま選択された要素（ボタン等）に対応するアクションを実行するように構成した。
【００１０】
さらに、本発明に係る操作表示方法では、フォーカスを移動させた後に、再度第２の要素が選択された場合に、第２の要素に対応するアクションを実行するステップをさらに有することが好ましい。フォーカスの移動後、再度選択（リモコンの決定キー等による再選択等）がなされた場合に、初めて、要素（ボタン等）に対応するアクションを実行するように構成した。
【００１１】
さらに、本発明に係る操作表示方法では、フォーカスを移動させる場合、第１及び第２以外の移動経路上に存在する要素毎に、各要素に対応したアクションを実行するステップをさらに有することが好ましい。フォーカスが要素を移動していく過程で、通過する要素毎に、所定期間（例えば、１秒間）だけ各要素に対応するアクションを実行するように構成した。
【００１２】
さらに、本発明に係る操作表示方法では、フォーカスを移動させる場合、第１及び第２以外の移動経路上に存在する要素については、各要素に対応したアクションを実行しないようにすることが好ましい。フォーカスが要素を移動していく過程で、通過する要素毎のアクションは実行せず、単にフォーカスが移動するだけの構成とした。
【００１３】
さらに、本発明に係る操作表示方法では、画面において利用可能であるが、表示されていない非表示要素をコンテンツ記述文書から解析し、画像中に非表示要素を描画するように制御するステップをさらに有することが好ましい。表示されている画面において、利用することができるが、表示されていない非表示要素（リモコンの操作キー等）を表示して利用し易くなるように構成した。
【００１４】
さらに、本発明に係る操作表示方法では、コンテンツ記述文書から要素配列情報を解析し、第２の要素をポインティング部からのデータと要素配列情報から決定するステップをさらに有することが好ましい。
【発明の効果】
【００１５】
本発明によれば、ポインティングデバイスによる要素の選択を可能としたので、ユーザは極めて容易に、データ放送におけるコンテンツ画面に表示される各種要素を選択することが可能となった。
【００１６】
また、本発明によれば、非表示要素を表示して、データ放送におけるコンテンツ画面に対する操作入力を容易に行うことが可能となった。
【発明を実施するための最良の形態】
【００１７】
以下図面を参照して、本発明に係るデータ放送受信装置及び操作入力方法について説明する。
【００１８】
図１は、本発明に係わるデータ放送受信機１０の概要を示すブロック図である。データ放送受信機１０は、チューナ部２０、復調部２１、ＴＳデコード部２２、音声デコード部２３、映像デコード部２４、提示処理部２５、Ｉ／Ｏ２６、ＲＡＭ２７、ＲＯＭ２８、ＣＰＵ２９、及びシステムバス３０等から構成され、アンテナ４０、スピーカ５０及び車載用のディスプレイ６０と接続され、リモコン７０によって操作される。ディスプレイ６０の表面にはタッチパネルＳＷ６２が配置され、ユーザが押圧したディスプレイ６０の表面上の位置を検出することができるように構成されている。
【００１９】
アンテナ４０で受信した受信放送波から、チューナ部２０によって視聴者が選択した搬送波が選択される。チューナ部２０によって選択された搬送波は、復調部２１においてデジタルデータに復調される。復調されたデジタルデータは、ＴＳデコード部２２へ送られ、音声信号、映像信号及びＢＭＬ（Broadcast Makeup language）文書を含むデータに分離される。
【００２０】
分離された音声データは、音声デコード部２３に送られ、アナログ信号に変換後、スピーカ５０から出力される。
【００２１】
また、分離された映像データは、映像デコード部２４に送られ、所定のフォーマットの映像信号に変換されて提示処理部２５へ送られる。
【００２２】
さらに、ＴＳデコード部２２で分離されたＢＭＬ記述言語で記述されたＢＭＬ文書は、一旦主メモリであるＲＡＭ２７に記憶される。ＣＰＵ２９は、ＲＯＭ２８に格納されているソフトウエアにしたがって動作し、ＢＭＬ文書の解析を行う。さらにＣＰＵ２９は、ＢＭＬ文書の解析結果に従い、リモコン７０で使用することができる操作キーを特定して、提示処理部２５に送る。
【００２３】
提示処理部２５では、ＣＰＵ２９で特定された操作キーを、他の操作キーと区別して表示するための画面を作成し、映像デコード部２４から受信した映像信号と適宜重ね合わせてディスプレイ６０に表示することも可能である。
【００２４】
次に、データ放送受信機１０の操作を行うためのリモコン７０の一例を図２に示す。図２に示されるように、リモコン７０には、電源キー１０１、選局切換キー１０２、０〜９の数字キーから構成されるテンキー１０３、ＥＰＧキー１０４、メニューキー１０５、アップキー１０６、ダウンキー１０７、レフトキー１０８、ライトキー１０９、決定（リターン）キー１１０、チャンネルアップダウンキー１１３、「ｄ」キー１１１、戻るキー１１２、映像の調整を行うための映像キー１１４、音声モードの選択を行うための音声キー１１５、字幕の位置及び言語の選択を行うための字幕キー１１６、カラーキー（青、赤、緑及び黄）１１７が配置されている。図２に示すリモコン７０は一例であって、これに限定されるものではなく、様々な変更が可能である。
【００２５】
図３に、ＴＳデコード部２２で分離したＢＭＬ文書の一例を示す。
【００２６】
図中３００は、ユーズドキーリスト(Used-key-list）に関する記述である。ユーズドキーリストは、リモコンで利用することができる操作キーの種類を示しており、図中３０１の部分では、「basic」（アップキー、ダウンキー、レフとキー、ライトキー、決定キー及び戻るキーを表す）、と「data-button」（青、赤、緑及び黄のカラーキーを表す）が利用できることを示している。ユーズドキーリストに記述されるキーの種類としては、他に「numeric-tuning」（０〜９の選局キーを表す）、「other-tuning」（チャンネルアップダウンキーを表す）などがあるが、様々な種類を表示することが可能であって、これらの限定されるものではない。
【００２７】
また図中３１０は、キー操作アクションに関する記述である。キー操作アクションは、指定されたキーを操作した場合の具体的な動作を示しており、図中３１１〜３１５では、アップキー、ダウンキー、レフとキー、ライトキー及び決定キーが押された場合の具体的な動作が記述されている。
【００２８】
図４に、ナビゲーション特性４００が記述されたＢＭＬ文書の一例を示す。
【００２９】
データ放送によるコンテンツの各要素には、ユーザの着目点（フォーカス）を動かす方向を制御するナビゲーション特性を設定することができる。各要素のナビゲーション特性は、ＢＭＬ文書に記述されているユーズドキーリストと同様に、ＴＳデコード部２２で分離されたＢＭＬ文書を解析することによって判別することができる。
【００３０】
図４の４０１の行では、ｉｎｄｅｘ−０として指定された表示表素（不図示）に対して、アップキー２０６がおされた場合には、ｉｎｄｅｘ−２として指定された表示要素（不図示）に移動し、ダウンキー２０７が押された場合には、ｉｎｄｅｘ−１として指定された表示表素（不図示）に移動することが定められている。このように、表示画面の各表示表素に対して設定されたナビゲーション特性は、ＢＭＬ文書を解析することによって判断することが可能となる。
【００３１】
図５は、本発明に係るデータ放送受信装置における操作入力処理フローの一例を示す図である。
【００３２】
以下に示す処理フローは、予めＲＯＭ２８に記憶されたプログラムに従って、主にＣＰＵ２９が、データ放送受信機１０の各構成要素を協同して実行する。また、以下の処理フローが実行される時点で、データ放送受信機１０に電源が供給され、各要素が動作可能な状態となっているものとする。また、特定のチャンネルが予めユーザによって選択され、データ放送受信機１０は、選択されたチャンネルのデータを受信可能な状態にあるものとする。
【００３３】
最初に、ＣＰＵ２９は、ＴＳデコード部２２で分離されたＢＭＬ文書から要素配列情報を解析し、提示処理部２５によって映像と組み合わされて表示部６０に表示される画像に描画される各表示要素（ボタン）の位置と種類を特定する（Ｓ５０１）。
【００３４】
図６は、表示部６０に描画される画像例を示す図である。
【００３５】
図６の場合、画像は、ニュースの種類選択ボタン「社会」関連のニュース選択ボタン６０１、「ビジネス」関連のニュース選択ボタン６０２、「政治」関連のニュース選択ボタン６０３、「文化」関連のニュース選択ボタン６０４、「スポーツ」関連のニュース選択ボタン６０５、「暮らし」関連のニュース選択ボタン６０６、「国際」関連のニュース選択ボタン６０７、「その他」のニュース選択ボタン６０８、選択された種類のニュースの第１項目欄〜第５項目欄６１１〜６１５、選択された種類のニュースの項目を上下に移動させるための上下ボタン６２１及び６２２、及び選択されたニュースに関する動画を表示する領域６３０から構成される。
【００３６】
次に、ＣＰＵ２９は、現在フォーカスされているボタンを決定する（Ｓ５０２）。
【００３７】
図６の場合、「社会」関連のニュース選択ボタン６０１にフォーカスされているものとする。したがって、第１項目欄〜第５項目欄６１１〜６１５には、社会に関するニュース項目が表示され、領域６３０には社会に関するニュースの動画が表示されるものとする。
【００３８】
次に、ＣＰＵ２９は、ユーザが操作した位置を決定し（Ｓ５０３）、ユーザが操作したボタンを決定する（Ｓ５０４）。
【００３９】
図６の場合、ユーザがタッチパネルＳＷ６２上で、「暮らし」関連のニュース選択ボタン６０６の上を押圧した場合、ＣＰＵ２９は、タッチパネルＳＷ６２からのデータとＢＭＬ文書から解析した要素配列情報に基づいて、ユーザが「暮らし」関連のニュース選択ボタン６０６を操作したと判断する。
【００４０】
次に、ＣＰＵ２９は、ＢＭＬ文書中のｎａｖ特性より、フォーカスの移動経路を解析する（Ｓ５０５）。
【００４１】
図７は、図６に示す画像の場合のｎａｖ特性によって定義されたフォーカスの移動経路の一例を示す図である。
【００４２】
図６の画像の場合、図７に示された矢印のみに従って、フォーカスは、特定のボタンから特定のボタンへ移動することができる。即ち、データ放送における画像では、フォーカスはリモコンの上下左右キーによる移動しか考慮していないため、上下左右キーによって移動するための移動経路が予め定義されている。
【００４３】
次に、ＣＰＵ２９は、フォーカスの遷移表示を行う（Ｓ５０６）。
【００４４】
図８は、フォーカス遷移の一例を示す図である。
【００４５】
図６に示すように、現在フォーカスが当たっているボタンが「社会」関連のニュース選択ボタン６０１であり、ユーザが選択したボタンが「暮らし」関連のニュース選択ボタン６０６の場合、図７に示す移動経路に従い、図８に示すように、フォーカスされるボタン位置を「社会」から「ビジネス」へ移動し、次に「暮らし」へ移動させる。
【００４６】
なお、移動経路の途中のボタンについては、単に次々にフォーカスされていくだけでも良いし、短い時間間隔（例えば１秒間隔）でフォーカスされたボタンのアクションが実行されるようにしても良い。即ち、図８の例では、中間の「ビジネス」関連のニュース選択ボタン６０２にフォーカスされた場合に、１秒間だけ、第１項目欄〜第５項目欄６１１〜６１５にビジネス関連のニュース項目が表示され、領域６３０にビジネス関連のニュースの動画が表示されるようにしても良い。また、フォーカスが各表示要素を移動していく場合に、移動していく各要素のアクションを実行するか、それとも単に通過するかは、ユーザがマニュアルで設定できるようにすることが好ましい。また、「社会」から「その他」へのフォーカスの移動が大きい場合には、経路中の各要素の関連のニュースを表示しない等、所定の条件下では実行しないようにしても良い。
【００４７】
次に、ＣＰＵ２９は、選択されたボタンのアクションを実行し（Ｓ５０７）、一連の動作を終了し、ユーザによる次の選択を待機する状態に戻る。
【００４８】
図８では、「暮らし」関連のニュース選択ボタン６０６が最終的にフォーカスされ、選択されたボタンのアクションとして、第１項目欄〜第５項目欄６１１〜６１５には、暮らしに関するユースの項目が表示され、領域６３０には暮らしに関するニュースの動画が表示される。なお、第１項目欄〜第２項目欄６１１〜６１５にフォーカスを当てる場合に、選択された要素から関連のニュース（６１１〜６１５）へフォーカス移動するように定義付けられている場合には、経路内の各要素の関連のニュースの表示は行わないようにしておくことが好ましい。また、要素ボタンから関連のニュース（６１１〜６１５）へフォーカス移動する場合には、経路内の各要素へのフォーカス表示は行わないようにしても良い。このようにすれば、選択された要素が実行されていないとの誤認識を防ぐことができる。
【００４９】
このように、ＢＭＬ文書中のｎａｖ特性では、リモコンの上下左右キーのみによってボタン間のフォーカスの移動経路が予め定義されていたとしても、タッチパネルＳＷ６２等のポインティングデバイスを用いて、ボタンの選択を行うことが可能となった。
【００５０】
図９は、本発明に係るデータ放送受信装置における操作入力処理フローの他の例を示す図である。
【００５１】
本フローは、図５に示す処理フローと異なり、画面に描画されていないが、利用することができる非表示要素（例えば、その時点で利用することができるリモコンの操作キー）を、さらに描画するものである。また、本フローは、予めＲＯＭ２８に記憶されたプログラムに従って、主にＣＰＵ２９が、データ放送受信機１０の各構成要素と協同して実行する。さらに、以下の処理フローが実行される時点で、データ放送受信機１０に電源が供給され、各要素が動作可能な状態となっているものとする。さらに、特定のチャンネルが予めユーザによって選択され、データ放送受信機１０は、選択されたチャンネルのデータを受信可能な状態にあるものとする。
【００５２】
最初に、ＣＰＵ２９は、ＴＳデコード部２２で分離されたＢＭＬ文書を解析し、提示処理部２５によって映像と組み合わされて表示部６０に表示される画像に描画される各表示要素の位置と種類を特定する（Ｓ９０１）。この時に、表示部６０に描画される画像例は、図６に示すものと同様である。
【００５３】
次に、ＣＰＵ２９は、現在フォーカスされているボタンを決定する（Ｓ９０２）。図６の場合、「社会」関連のニュース選択ボタン６０１にフォーカスされているものとする。
【００５４】
次に、ＣＰＵ２９は、ＴＳデコード部２２で分離されたＢＭＬ文書を解析し、利用できるが、表示されていない非表示要素を解析する（Ｓ９０３）。このような非表示要素としては、例えば、その画像に関連してリモコンで利用することができる各種操作キー等が該当する。
【００５５】
次に、ＣＰＵ２９は、Ｓ９０３で解析された非表示要素を描画する（Ｓ９０４）。
【００５６】
図１０は、非表示要素が描画された場合の画像例を示す図である。
【００５７】
図１０（ａ）は「ＯＦＦ」キー１００１及び「戻る」キー１００２を図６に示す画像例上に描画した例、図１０（ｂ）は「ＯＦＦ」キー１０１１、「戻る」キー１０１２、「決定」キー１０１３、「青」キー１０１４、「赤」キー１０１５、「緑」キー１０１６、「黄」キー１０１７及び「次」キー１０１８を図６に示す画像例上に描画した例である。
【００５８】
次に、ＣＰＵ２９は、ユーザが操作した位置をタッチパネルＳＷ６２からのデータ及びＢＭＬ文書から解析した要素配列情報に基づいて決定し（Ｓ９０５）、ユーザが操作した表示要素を決定する（Ｓ９０６）。
【００５９】
次に、ＣＰＵ２９は、決定されたボタンがＳ９０４で描画した非表示要素か否かの判断を行う（Ｓ９０７）。
【００６０】
Ｓ９０７において、決定された要素が非表示要素でなかった場合には、ＣＰＵ２９は、ＢＭＬ文書中のｎａｖ特性より、図７に示すようにフォーカスの移動経路を解析し（Ｓ９０８）、図８に示すようにフォーカスの遷移表示を行い（Ｓ９０９）、選択された表示要素に対応したアクションを実行し（Ｓ９１０）、一連の動作を終了し、ユーザによる次の選択を待機する状態に戻る。
【００６１】
Ｓ９０７において、決定された要素が非表示要素の場合には、Ｓ９１０に進み、選択された非表示要素に対応するアクションを実行する。
【００６２】
図１１は、非表示要素のアクション例を示す図である。
【００６３】
図１１（ａ）は、図１０（ａ）の「戻る」キー１００２が選択された場合の表示例を示しており、「ＯＦＦ」キー１１０１と「ＯＮ」キー１１０２が表示されている。また、図１１（ｂ）は、図１０（ｂ）の「次」キー１０１８が選択された場合の表示例を示しており、「ＯＦＦ」キー１１１１、「戻る」キー１１１２、「決定」キー１１１３、「映像」キー１１１４、「音声」キー１１１５及び「字幕」キー１１１６が表示されている。
【００６４】
上記の２つの実施形態では、タッチパネルＳＷ６２を用いてユーザが選択したいボタンを選択したが、例えば、表示部６０の周囲にマウスパッドやポインティングスティック等の他のポインティングデバイスを設け、それらによってボタンの選択できるように構成しても良い。
【００６５】
また、上記の２つの実施形態では、タッチパネルＳＷ６２を用いてユーザが選択したい表示要素にフォーカスが移動した後、自動的にフォーカスが移動した表示要素に対応したアクションが実行された。しかしながら、自動的にアクションを実行せず、フォーカスの移動後に、ユーザがリモコンの決定キー（図２の１１０参照）を再度押して表示要素を選択した場合に、表示要素に対応したアクションが実行されるように構成されても良い。さらに、自動的にアクションを実行するのか再度のユーザによる選択を待ってアクションを実行するのかを、ユーザによりマニュアル設定等によって、選択的に設定できるようにすることが好ましい。
【００６６】
このように、ＢＭＬ文書中のｎａｖ特性において、リモコンの上下左右キーのみによって表示要素（ボタン）間の移動経路が予め定義されていたとしても、タッチパネルＳＷ６２等のポインティングデバイスを用いて、表示要素の選択を行うことが可能となった。さらに、利用できるが、表示されていない非表示要素を表示させて、選択することができるようになった。
【００６７】
さらに、上記の２つの実施形態では、車に取付けることができる車載用のデータ放送受信機を例にして説明したが、車載以外の用途（室内用のデータ放送受信機等）に、上述したデータ放送受信機を適用させることも可能である。
【図面の簡単な説明】
【００６８】
【図１】本発明に係るデータ放送受信機の構成を示すブロック図である。
【図２】本発明に使用されるリモコンの一例を示す図である。
【図３】ＢＭＬ文書の一例を示す図である。
【図４】ＢＭＬ文書に含まれるｎａｖ特性の一例を示す図である。
【図５】処理フローの一例を示す図である。
【図６】表示画像の一例を示す図である。
【図７】移動経路の一例を示す図である。
【図８】フォーカス遷移の一例を示す図である。
【図９】処理フローの他の例を示す図である。
【図１０】非表示要素の描画例を示す図である。
【図１１】非表示要素のアクション例を示す図である。
【符号の説明】
【００６９】
１０    データ放送受信機
２２    ＴＳデコード部
２５    提示処理部
２８    ＲＯＭ
２９    ＣＰＵ
４０    アンテナ
５０    スピーカ
６０    ディスプレイ
６２    タッチパネルＳＷ
７０    リモコン
【図１】
2006345392.tif 000003
【図２】
2006345392.tif 000004
【図３】
2006345392.tif 000005
【図４】
2006345392.tif 000006
【図５】
2006345392.tif 000007
【図６】
2006345392.tif 000008
【図７】
2006345392.tif 000009
【図８】
2006345392.tif 000010
【図９】
2006345392.tif 000011
【図１０】
2006345392.tif 000012
【図１１】
2006345392.tif 000013